(57)【要約】【課題】交換作業性を良好にすると共に、防水性を高める。【解決手段】本開示における電気接続箱は、ケース２０と、電源回路６０と、分岐回路７０と、を備えた電気接続箱１０であって、分岐回路７０は、着脱可能な過電流遮断素子を有すると共に電源回路６０から分岐する回路とされており、ケース２０は、ケース本体２１と、ケース本体２１に着脱可能なカバー２３と、カバー用シール部材２４とを有し、ケース本体２１は、第１作業孔４４を有すると共に電源回路６０および分岐回路７０を収容しており、第１作業孔４４は、過電流遮断素子を外方に臨ませる位置においてケース本体２１の天井板４１の外形寸法よりも小さい外形寸法に形成されており、カバー２３は、第１作業孔４４を閉口するようにケース本体２１に装着され、カバー用シール部材２４は、ケース本体２１における第1作業孔４４の周縁部とカバー２３とに密着する。【選択図】図１０
2020188596.tif 000002
【特許請求の範囲】
【請求項１】
ケースと、電源回路と、分岐回路と、を備えた電気接続箱であって、
前記分岐回路は、着脱可能な過電流遮断素子を有すると共に前記電源回路から分岐する回路とされており、
前記ケースは、ケース本体と、前記ケース本体に着脱可能なカバーと、弾性を有するカバー用シール部材とを有し、
前記ケース本体は、第１作業孔を有すると共に前記電源回路および前記分岐回路を収容しており、
前記第１作業孔は、前記過電流遮断素子を外方に臨ませる位置において前記ケース本体の天井板を貫通した形態で前記天井板の外形寸法よりも小さい外形寸法に形成されており、
前記カバーは、前記第１作業孔を閉口するように前記ケース本体に装着され、前記カバー用シール部材は、前記ケース本体における前記第１作業孔の周縁部と前記カバーとに密着する電気接続箱。
【請求項２】
前記ケース本体は、ロアケースと、アッパケースと、弾性を有するケース用シール部材とを有しており、
前記ロアケースと前記アッパケースとは、互いに組み付けられるようになっており、
前記ケース用シール部材は、前記ロアケースと前記アッパケースとに密着して前記ロアケースと前記アッパケースとの間を水密状態にシールするようになっており、
前記分岐回路は、前記ロアケース内に配置されるロア側分岐回路と、前記アッパケース内に配置されるアッパ側分岐回路とを有しており、
前記ロアケースは、前記ロア側分岐回路に接続された少なくとも１つのコネクタを有しており、
前記アッパケースは、前記アッパ側分岐回路に接続された少なくとも１つのコネクタを有しており、
前記ロア側分岐回路と前記アッパ側分岐回路とは、前記ロアケースと前記アッパケースとが互いに組み付けられる方向に並んで配置されている請求項１に記載の電気接続箱。
【請求項３】
前記電源回路は、前記ロアケース内に配置されており、
前記アッパ側分岐回路は、前記電源回路に接続される分岐バスバを有している請求項２に記載の電気接続箱。
【請求項４】
前記アッパケースは、前記アッパ側分岐回路の前記過電流遮断素子が配置されるアッパ台座を有しており、
前記ロアケースは、前記ロア側分岐回路の前記過電流遮断素子が配置されるロア台座を有しており、
前記アッパ台座と前記ロア台座とは、前記ロアケースと前記アッパケースとが互いに組み付けられる方向に並んで配置されている請求項３に記載の電気接続箱。
【請求項５】
前記アッパケースは、前記アッパ台座が着脱可能な台座受部を有しており、
前記台座受部は、前記アッパ台座によって閉口される第２作業孔を有している請求項４に記載の電気接続箱。
【請求項６】
前記分岐バスバは、前記第１作業孔および前記第２作業孔を通して前記電源回路に接続可能とされている請求項５に記載の電気接続箱。
【発明の詳細な説明】
【技術分野】
【０００１】
本開示は、電気接続箱に関する。
【背景技術】
【０００２】
自動車用の電気接続箱は、例えば、特開２０１９−４７５３５号公報に記載のものが知られている。
【０００３】
この電気接続箱は、上下に組み付けられるアッパーケースとロアケースとを有している。ロアケースの上部には、電源回路に接続される積層バスバー、積層バスバーに接続される中継バスバー、配電板、ヒューズなどが設置されている。配電板は、ヒューズを介して中継バスバーと接続されることにより、電源回路から分岐された分岐回路を構成している。
【先行技術文献】
【特許文献】
【０００４】
【特許文献１】特開２０１９−４７５３５号公報
【発明の概要】
【発明が解決しようとする課題】
【０００５】
ところで、上記の電気接続箱は、ロアケースからアッパーケースを取り外し、ロアケースの上部全体を露出させてヒューズが交換される。
【０００６】
ところが、ロアケースの上部全体を露出させてヒューズを交換する場合には、ロアケースとアッパケースとの間において防水する領域が大きくなるため、ロアケースとアッパケースとの間から水が侵入する可能性高くなる。この結果、電気接続箱における防水性が低下してしまう。
【０００７】
本明細書では、交換作業性を良好にすると共に、防水性を高める技術を開示する。
【課題を解決するための手段】
【０００８】
本開示の電気接続箱は、ケースと、電源回路と、分岐回路と、を備えた電気接続箱であって、前記分岐回路は、着脱可能な過電流遮断素子を有すると共に前記電源回路から分岐する回路とされており、前記ケースは、ケース本体と、前記ケース本体に着脱可能なカバーと、弾性を有するカバー用シール部材とを有し、前記ケース本体は、第１作業孔を有すると共に前記電源回路および前記分岐回路を収容しており、前記第１作業孔は、前記過電流遮断素子を外方に臨ませる位置において前記ケース本体の天井板を貫通した形態で前記天井板の外形寸法よりも小さい外形寸法に形成されており、前記カバーは、前記第１作業孔を閉口するように前記ケース本体に装着され、前記カバー用シール部材は、前記ケース本体における前記第1作業孔の周縁部と前記カバーとに密着する。
【発明の効果】
【０００９】
本開示によれば、交換作業性を良好にすると共に、防水性を高めることができる。
【図面の簡単な説明】
【００１０】
【図１】図１は、実施形態に係る電気接続箱の分解斜視図である。
【図２】図２は、電気接続箱の斜視図である。
【図３】図３は、電気接続箱の平面図である。
【図４】図４は、電気接続箱の背面図である。
【図５】図５は、ロアケースにアッパケースを組み付ける前の状態を示す斜視図である。
【図６】図６は、電源回路およびロア側分岐回路が収容された状態を示すロアケースの平面図である。
【図７】図７は、アッパ側分岐回路が収容された状態を示すアッパケースの底面図である。
【図８】図８は、図３のＡ−Ａ線における斜視断面図である。
【図９】図９は、図３のＡ−Ａ線における断面図である。
【図１０】図１０は、図３のＢ−Ｂ線における断面図である。
【図１１】図１１は、カバーを取り外した状態の電気接続箱の斜視図である。
【図１２】図１２は、カバーを取り外した状態の電気接続箱の平面図である。
【図１３】図１３は、カバーおよびアッパ台座を取り外した状態の電気接続箱の斜視図である。
【図１４】図１４は、カバーおよびアッパ台座を取り外した状態の電気接続箱の平面図である。
【発明を実施するための形態】
【００１１】
［本開示の実施形態の説明］
最初に本開示の実施形態を列挙して説明する。
【００１２】
（１）ケースと、電源回路と、分岐回路と、を備えた電気接続箱であって、前記分岐回路は、着脱可能な過電流遮断素子を有すると共に前記電源回路から分岐する回路とされており、前記ケースは、ケース本体と、前記ケース本体に着脱可能なカバーと、弾性を有するカバー用シール部材とを有し、前記ケース本体は、第１作業孔を有すると共に前記電源回路および前記分岐回路を収容しており、前記第１作業孔は、前記過電流遮断素子を外方に臨ませる位置において前記ケース本体の天井板を貫通した形態で前記天井板の外形寸法よりも小さい外形寸法に形成されており、前記カバーは、前記第１作業孔を閉口するように前記ケース本体に装着され、前記カバー用シール部材は、前記ケース本体における前記第1作業孔の周縁部と前記カバーとに密着する。
【００１３】
カバーをケース本体から取り外すことによって過電流遮断素子が第１作業孔から外方に臨んだ状態となるから、第１作業孔を通して過電流遮断素子を容易に交換できる。これにより、過電流遮断素子の交換作業性を良好にできる。また、第１作業孔がケース本体の天井板の外形寸法よりも小さい外形寸法に形成されており、カバーがケース本体に装着されると、カバーとカバー用シール部材とによって第１作業孔が水密状態に閉口される。これにより、例えば、ケースが大きく開放されて防水する領域が大きくなる場合に比べて、電気接続箱の防水性を高めることができる。
【００１４】
（２）前記ケース本体は、ロアケースと、アッパケースと、弾性を有するケース用シール部材とを有しており、前記ロアケースと前記アッパケースとは、互いに組み付けられるようになっており、前記ケース用シール部材は、前記ロアケースと前記アッパケースとに密着して前記ロアケースと前記アッパケースとの間を水密状態にシールするようになっており、前記分岐回路は、前記ロアケース内に配置されるロア側分岐回路と、前記アッパケース内に配置されるアッパ側分岐回路とを有しており、前記ロアケースは、前記ロア側分岐回路に接続された少なくとも１つのコネクタを有しており、前記アッパケースは、前記アッパ側分岐回路に接続された少なくとも１つのコネクタを有しており、前記ロア側分岐回路と前記アッパ側分岐回路とは、前記ロアケースと前記アッパケースとが互いに組み付けられる方向に並んで配置されている。
【００１５】
例えば、分岐回路に接続されたコネクタを、ロアケースとアッパケースのそれぞれに設ける場合、分岐回路の大部分をロアケース内に配置し、ロアケース内に配置された分岐回路とアッパケースに設けられたコネクタとを電線によって接続する方法が考えられる。しかしながら、このような方法によると、コネクタを設けるためだけにアッパケースを設ける必要があり、電気接続箱が大型化してしまう。また、電気接続箱が大型化するものの、アッパケース内にはデッドスペースが生じてしまう。
【００１６】
ところが、このような構成によると、ロアケースのコネクタに接続されるロア側分岐回路はロアケース内に配置され、アッパケースのコネクタに接続されるアッパ側分岐回路はアッパケース内に配置されている。つまり、防水されたケース本体内を有効に使うことによってケース本体の小型化、さらには電気接続箱の小型化を図ることができる。
【００１７】
（３）前記電源回路は、前記ロアケース内に配置されており、前記アッパ側分岐回路は、前記電源回路に接続される分岐バスバを有している。
【００１８】
例えば、アッパ側分岐回路の電線がロアケースに配置された電源回路に接続される電気接続箱は、ロアケースとアッパケースとを組み付けた時に、電線の余長を収容する余長収容領域をケース内に確保する必要がある。このため、ケースが余長収容領域の分だけ大型化してしまう。
【００１９】
ところが、アッパ側分岐回路は、電源回路に接続される分岐バスバを有しているから、ロアケースとアッパケースとを組み付けた際に、ケース内に余長収容領域を確保する必要がなく、ケースを小型化できる。これにより、電気接続箱をさらに小型化できる。
【００２０】
（４）前記アッパケースは、前記アッパ側分岐回路の前記過電流遮断素子が配置されるアッパ台座を有しており、前記ロアケースは、前記ロア側分岐回路の前記過電流遮断素子が配置されるロア台座を有しており、前記アッパ台座と前記ロア台座とは、前記ロアケースと前記アッパケースとが互いに組み付けられる方向に並んで配置されている。
【００２１】
アッパ台座とロア台座とがロアケースとアッパケースとの組み付け方向と交差する方向にずれて配置される場合に比べて、電気接続箱が交差する方向に大型化することを防ぐことができる。
【００２２】
（５）前記アッパケースは、前記アッパ台座が着脱可能な台座受部を有しており、前記台座受部は、前記アッパ台座によって閉口される第２作業孔を有している。
【００２３】
アッパ台座を台座受部から取り外すことによって第１作業孔および第２作業孔を通してロア台座を外方へ臨ませることができる。つまり、第１作業孔および第２作業孔を通してロア台座に配置された過電流遮断素子を交換できる。これにより、例えば、電源回路を含む回路全体を露出させて過電流遮断素子の交換を実施するものに比べて、防水性を高めつつ、過電流遮断素子の交換作業を良好に実施できる。
（６）前記分岐バスバは、前記第１作業孔および前記第２作業孔を通して前記電源回路に接続可能とされている。
【００２４】
例えば、ロアケースとアッパケースとを組み付ける際に、アッパ側分岐回路のバスバを電源回路に接続する場合、バスバと電源回路との接続確認がケースによって視認できなくなるなど、アッパ側分岐回路と電源回路との接続作業性が低下してしまう。
【００２５】
ところが、本実施形態は、分岐バスバが、第１作業孔および第２作業孔を通して電源回路に着脱可能とされているから、例えば、ロアケースとアッパケースとを組み付ける際に、アッパ側分岐回路のバスバを電源回路に接続する場合に比べて、電源回路とアッパ側分岐回路との接続作業性に優れる。
【００２６】
［本開示の実施形態の詳細］
本開示の電気接続箱の具体例を、以下の図面を参照しつつ説明する。なお、本開示は、これらの例示に限定されるものではなく、特許請求の範囲によって示され、特許請求の範囲と均等の意味および範囲内でのすべての変更が含まれることが意図される。
【００２７】
＜実施形態＞
本開示における一実施形態について図１から図１４を参照して説明する。
本実施形態は、図示しない車両に搭載される電池パック内に取り付けられる電気接続箱を例示している。以下の説明においては、矢線Ｚの示す方向を上とし、矢線Ｙの示す方向を後とし、矢線Ｘの示す方向を右とする。また、複数の同一部材については一の部材にのみ符号を付し、他の部材については符号を省略する場合がある。
【００２８】
［電気接続箱１０］
電気接続箱１０は、図１および図２に示されるように、ケース２０と、一対の電源バスバ６１と、複数の分岐バスバ７１と、複数のヒューズ（「過電流遮断素子」の一例）Ｆと、複数のワイヤハーネス９０とを備えている。
【００２９】
［ケース２０］
ケース２０は、絶縁性を有する合成樹脂によって形成されている。ケース２０は、図１から図４に示されるように、ケース本体２１と、カバー２３と、カバー用シール部材２４とを備えている。
【００３０】
［ケース本体２１］
ケース本体２１は、前後方向に長い扁平な箱形状に形成されている。ケース本体２１は、ロアケース３０と、アッパケース４０と、ケース用シール部材２５とを備えている。
【００３１】
［ロアケース３０］
ロアケース３０は、図１、図５および図６に示されるように、上方に開口する前後方向に長いトレイ型に形成されている。ロアケース３０は、後述するアッパケース４０が上方から組み付けられることによってケース本体２１を構成する。ロアケース３０は、底板３１と、４つのロア側板３２と、ロア側フランジ部３３とを備えている。
【００３２】
底板３１は、前後方向に長い矩形状に形成されている。底板３１の中央には、平面視矩形状のロア台座３４がボルトＢＴによって固定されている。
【００３３】
ロア台座３４は、上方に向かって突出する凸型に形成されている。ロア台座３４の上には、図６に示されるように、複数の分岐バスバ７１のうちの後述する正極分岐バスバ７２および第１負極分岐バスバ７３と、一対の第１中継バスバ３５と、２つのヒューズＦが載置される。一対の第１中継バスバ３５は、ロア台座３４の左側端部において前後方向に延びた状態で前後方向に並んで固定されている。それぞれの第１中継バスバ３５は、左側端部がワイヤハーネス９０に接続され、右側端部がヒューズＦに接続される。
【００３４】
４つのロア側板３２は、底板３１の外側縁から上方に向かって延出されて形成されている。
【００３５】
隣り合うロア側板３２は、側縁同士が連なっている。これにより、ロアケース３０はトレイ型に構成され、ロアケース３０内には、後述する電源回路６０および分岐回路７０が上方から収容されるようになっている。
【００３６】
４つのロア側板３２のうちの前側のロア側板３２には、一対の前側ケーブル導入口３２Ａがロア側板３２を前後方向に貫通して形成されている。前側ケーブル導入口３２Ａには、図示しない電源ケーブルが止水された状態で導入されるようになっている。
【００３７】
４つのロア側板３２のうちの後側のロア側板３２には、一対のコネクタ取付口３２Ｂがロア側板３２を貫通して形成されている。一対のコネクタ取付口３２Ｂには、複数のワイヤハーネス９０のうちの２つのワイヤハーネス９０が止水された状態で取り付けられている。
【００３８】
ロア側フランジ部３３は、４つのロア側板３２の上端縁に周設されている。ロア側フランジ部３３は、それぞれのロア側板３２から外方に向かって延出した形態で４つのロア側板３２の上端縁に矩形状に形成されている。ロア側フランジ部３３の上面には、ロア側フランジ部３３に沿うように矩形状のシール溝３６が凹んで形成されている。シール溝３６には、弾性を有するケース用シール部材２５が上方から装着されている。
【００３９】
［ケース用シール部材２５］
ケース用シール部材２５は、ゴム等の弾性部材によって矩形の環状に形成されている。ケース用シール部材２５は、上端部をシール溝３６から上方に向けて突出させた状態でシール溝３６に装着されている。ケース用シール部材２５は、ロアケース３０にアッパケース４０が上方から組み付けられると、ロアケース３０のロア側フランジ部３３と後述するアッパケース４０におけるアッパ側フランジ部４３とに全周にわたって密着する。つまり、ケース用シール部材２５は、ロアケース３０とアッパケース４０との間から水などが浸入しないように、ロアケース３０とアッパケース４０との間を水密状態にシールする。
【００４０】
［アッパケース４０］
アッパケース４０は、図１、図５、図７から図１０に示されるように、下方に開口する前後方向に長いトレイ型に形成されている。アッパケース４０は、天井板４１と、４つのアッパ側板４２と、アッパ側フランジ部４３とを備えている。
【００４１】
天井板４１は、前後方向に長い矩形状に形成されている。天井板４１は、平面視矩形状の第１作業孔４４を有している。第１作業孔４４は、天井板４１の左右方向の中央部であって、天井板４１の前後方向の中央部に形成されている。第１作業孔４４は、左右方向の幅寸法が天井板４１の幅寸法よりも小さく、かつ前後方向の縦寸法が天井板４１の縦寸法よりも小さく形成されている。つまり、第１作業孔４４は、アッパケース４０において天井板４１の外形寸法よりも小さい外形寸法に形成されている。
【００４２】
天井板４１の上面における第１作業孔４４の外周縁部には、図８から図１０に示されるように、第１作業孔４４に沿うように矩形状のシール装着リブ４４Ａが突出して形成されている。シール装着リブ４４Ａには、後述するカバー用シール部材２４が外周面に沿うように装着されている。
【００４３】
また、アッパケース４０は、図８から図１２に示されるように、天井板４１の内側（下面）に取り付けられる台座受部４５を有している。
【００４４】
台座受部４５は、天井板４１の下面から下方に向かって凹型に突出して形成されている。台座受部４５は、天井板４１に沿って延びる取付フランジ４７を有している。取付フランジ４７が天井板４１に下方からボルトＢＴによって固定されることによって台座受部４５が天井板４１の下面に固定されている。
【００４５】
台座受部４５は、第１作業孔４４よりも僅かに小さい矩形状の底部４８を有している。したがって、底部４８は、図１１および図１２に示されるように、第１作業孔４４を通して上方に臨んだ状態となっている。
【００４６】
台座受部４５の矩形状の底部４８には、図１０，図１３および図１４に示されるように、第２作業孔４９が形成されている。第２作業孔４９は、底部４８を上下方向に貫通するように矩形状に形成されている。第２作業孔４９は、ロアケース３０のロア台座３４の上方に配置されると共に、第１作業孔４４と上下方向に並んだ配置とされている。
【００４７】
つまり、第１作業孔４４と第２作業孔４９とは、図９、図１０および図１４に示されるように、電源回路６０を上方に露出させない領域であって、ロアケース３０のロア台座３４を上方に臨ませる位置において上下方向に並んで配置されている。
【００４８】
台座受部４５の底部４８には、アッパ台座５０が上方から着脱可能に取り付けられている。したがって、アッパ台座５０が台座受部４５に装着された状態では、図１１および図１２に示されるように、第１作業孔４４がアッパ台座５０を上方に臨ませるようになっている。
【００４９】
アッパ台座５０は、図１および図１３に示されるように、台座受部４５の第２作業孔４９よりも前後左右方向にやや大きい平面視矩形状に形成されている。アッパ台座５０は、平面視矩形状の部材載置部５１と、部材載置部５１の外周に設けられた固定部５３とを有している。
【００５０】
部材載置部５１は、図８から図１１に示されるように、固定部５３よりも一段高く形成されている。部材載置部５１上には、複数の分岐バスバ７１のうちの第２負極分岐バスバ７５および一対の第２中継バスバ５２と、２つのヒューズＦとが載置可能とされている。つまり、第１作業孔４４は、図１１および図１２に示されるように、２つのヒューズＦが載置されたアッパ台座５０を上方に臨ませるようになっている。
【００５１】
一対の第２中継バスバ５２は、図５、図９、図１０および図１３に示されるように、部材載置部５１の右側端部において部材載置部５１を上下方向に貫通した形態で部材載置部５１に固定されている。第２中継バスバ５２において部材載置部５１上に配置される部分には、部材載置部５１に載置されたヒューズＦが接続されている。一方、部材載置部５１から下方に延びる第２中継バスバ５２の下端部には、ワイヤハーネス９０が接続される。
【００５２】
固定部５３は、部材載置部５１よりも一段下がる形態で部材載置部５１の外周に連なって形成されている。固定部５３は、アッパ台座５０が台座受部４５に装着された際に、図８から図１０に示されるように、底部４８における第２作業孔４９の外周縁部上に配置される。アッパ台座５０は、固定部５３が底部４８に対して上方から４本のボルトＢＴによって固定されることにより、台座受部４５に固定されるようになっている。また、４本のボルトＢＴを取り外すことにより、図１３に示されるように、アッパ台座５０を台座受部４５から取り外すことが可能となっている。
【００５３】
つまり、アッパ台座５０は、第１作業孔４４を通して台座受部４５に着脱可能となっている。
【００５４】
４つのアッパ側板４２は、天井板４１の外側縁から下方に向かって延出されて形成されている。
【００５５】
隣り合うアッパ側板４２は、側縁同士が連なっている。これにより、図５、図７から図１０に示されるように、アッパケース４０はトレイ型に構成され、アッパケース４０内には、後述する分岐回路７０が下方から収容されるようになっている。
【００５６】
４つのアッパ側板４２のうちの後側のアッパ側板４２には、図５および図７に示されるように、一対の後側ケーブル導入口４２Ａと、一対のコネクタ取付口４２Ｂとがアッパ側板４２を前後方向に貫通して形成されている。
【００５７】
一対の後側ケーブル導入口４２Ａには、後述する一対の電源バスバ６１と接続される図示しない電源ケーブルが止水された状態でそれぞれ導入されるようになっている。
【００５８】
一対のコネクタ取付口４２Ｂには、複数のワイヤハーネス９０のうちの２つのワイヤハーネス９０が止水された状態で取り付けられている。
【００５９】
アッパ側フランジ部４３は、４つのアッパ側板４２の下端縁に周設されている。アッパ側フランジ部４３は、それぞれのアッパ側板４２から外方に向かって延出した形態でロアケース３０の上端縁に矩形状に形成されている。アッパ側フランジ部４３は、図３に示されるように、長辺部に並んで配置された６本のボルトＢＴによってロア側フランジ部３３に固定される。これにより、アッパケース４０がロアケース３０に固定される。
【００６０】
アッパ側フランジ部４３の下面は、平坦なシール面４３Ａとされている。シール面４３Ａは、アッパケース４０がロアケース３０に固定されると、図８から図１０に示されるように、シール溝３６の底面と共にケース用シール部材２５を上下方向から挟み込む。つまり、ケース用シール部材２５がシール面４３Ａとシール溝３６の底面とに全周にわたって密着し、ロア側フランジ部３３とアッパ側フランジ部４３との間がシールされる。つまり、アッパケース４０と、ロアケース３０と、ケース用シール部材２５とが一体となることによって、アッパケース４０とロアケース３０との間がシールされたケース本体２１が構成される。
【００６１】
［カバー用シール部材２４］
カバー用シール部材２４は、ゴム等の弾性部材によって矩形の環状に形成されている。カバー用シール部材２４は、シール装着リブ４４Ａよりも上下方向に大きく構成されている。したがって、カバー用シール部材２４がシール装着リブ４４Ａの外周に装着されると、カバー用シール部材２４はシール装着リブ４４Ａよりも上方に突出した状態となる。
【００６２】
［カバー２３］
カバー２３は、図１から図４に示されるように、ケース本体２１の第１作業孔４４よりも前後左右方向に大きい矩形の板状に形成されている。カバー２３は、カバー２３の四隅が天井板４１にボルト固定されることによってアッパケース４０に固定される。
【００６３】
カバー２３の外周縁部には、図８から図１０に示されるように、カバー用シール部材２４に対して上方から接触するカバー側シール面２３Ａが全周にわたって形成されている。カバー側シール面２３Ａは、カバー２３がアッパケース４０に固定されることにより、天井板４１と共にカバー用シール部材２４を上下方向から挟み込む。これにより、カバー用シール部材２４がカバー２３と天井板４１とに密着し、第１作業孔４４がカバー２３とカバー用シール部材２４とによって水密状態にシールされて閉口される。
【００６４】
［電源バスバ６１］
一対の電源バスバ６１は、それぞれが導電性を有する金属板材を加工することによって形成されている。一対の電源バスバ６１は、図５および図６に示されるように、大部分がロアケース３０内に収容されている。一対の電源バスバ６１は、いずれか一方が負極バスバ６１Ｎとされ、他方が正極バスバ６１Ｐとされる。本実施形態は、一対の電源バスバ６１のうち左側の前側ケーブル導入口３２Ａの後方に配置された電源バスバ６１が正極バスバ６１Ｐとされ、右側の前側ケーブル導入口３２Ａの後方に配置された電源バスバ６１が負極バスバ６１Ｎとされている。それぞれの電源バスバ６１の端部には、それぞれの極性に対応する電源ケーブルが接続される。つまり、一対の電源バスバ６１に大電流が流れることによって、電源回路６０が構成される。
【００６５】
正極バスバ６１Ｐは、図６に示されるように、第１正極部６２と、第２正極部６３と、第３正極部６４とを備えている。第１正極部６２は、左側の前側ケーブル導入口３２Ａの後方の位置から左側のロア側板３２に沿うように後方に向かって延びている。第２正極部６３は、第１正極部６２の後端部からロアケース３０の右側部までロア台座３４と後側のロア側板３２との間を右方に向かって延びている。第３正極部６４は、第２正極部６３の右側端部からアッパケース４０における左側の後側ケーブル導入口４２Ａまでクランク状に延びている。正極バスバ６１Ｐは、第１正極部６２の前端部と、第２正極部６３の右端部とがロアケース３０のボルト固定部３７にボルト止めされることによってロアケース３０に固定されている。
【００６６】
負極バスバ６１Ｎは、第１負極部６５と、第２負極部６６と、第３負極部６７とを備えている。
【００６７】
第１負極部６５は、右側の前側ケーブル導入口３２Ａの後方の位置から一段高くなった形態でロア台座３４の手前まで後方に向かって延びている。第２負極部６６は、第１負極部６５の後端部に連なるように、第１負極部６５よりもやや右側の位置からロアケース３０の右側部まで右方に向かって延びている。第３負極部６７は、第２負極部６６の右側端部からロアケース３０の右側後端部まで真っ直ぐ延びている。そして、第３負極部６７の後端部は、アッパケース４０における右側の後側ケーブル導入口４２Ａまでクランク状に延びている。負極バスバ６１Ｎは、第２負極部６６の左側端部および左右方向の中央部がロアケース３０のボルト固定部３７にボルト固定されることによってロアケース３０に固定されている。
【００６８】
［分岐バスバ７１］
複数の分岐バスバ７１は、それぞれが電源バスバ６１よりも板厚の薄い導電性を有する金属板材を加工することによって形成されている。
【００６９】
複数の分岐バスバ７１は、図１および図５に示されるように、正極分岐バスバ７２と、第１負極分岐バスバ７３と、第２負極分岐バスバ７５との合計３つの分岐バスバ７１を含んでいる。
【００７０】
正極分岐バスバ７２は、図６および図１０に示されるように、正極バスバ６１Ｐにおける第２正極部６３の右側端部と共に、ロアケース３０のボルト固定部３７にボルト固定されている。これにより、正極分岐バスバ７２は、正極バスバ６１Ｐに対して電気的に接続されている。
【００７１】
正極分岐バスバ７２は、第２正極部６３の右側端部の位置からロア台座３４の上面と同じ高さ位置まで前方に向かってクランク状に延びた後、ロア台座３４の後側部上を左方に延びている。
【００７２】
正極分岐バスバ７２においてロア台座３４上に配置された部分には、後述するワイヤハーネス９０が左右方向に４つ並んで接続されている。
【００７３】
第１負極分岐バスバ７３は、図５，図６および図８に示されるように、負極バスバ６１Ｎにおける第２負極部６６の左右方向の中央部と共に、ロアケース３０のボルト固定部３７にボルト固定されている。これにより、第１負極分岐バスバ７３は、負極バスバ６１Ｎに対して電気的に接続されている。第１負極分岐バスバ７３は、第２負極部６６における左右方向の中央部の位置からロア台座３４の上面までクランク状に延びた後、ロア台座３４の右側部上を前後方向に延びている。第１負極分岐バスバ７３においてロア台座３４上に配置された部分には、後述するヒューズＦが前後方向に２つ並んで接続されている。
【００７４】
第２負極分岐バスバ７５は、図８および図９に示されるように、第２負極部６６の左側端部と共に、ロアケース３０のボルト固定部３７にボルト固定されている。これにより、第２負極分岐バスバ７５は、負極バスバ６１Ｎに対して電気的に接続されている。第２負極分岐バスバ７５は、第２負極部６６の左側端部の位置からアッパケース４０のアッパ台座５０の部材載置部５１上までクランク状に延びた後、部材載置部５１の左側部上を前後方向に延びている。つまり、第２負極分岐バスバ７５は、図８および図９に示されるように、上下方向（ロアケース３０とアッパケース４０とが互いに組み付けられる方向）に延びて電源回路６０に接続されている。第２負極分岐バスバ７５において部材載置部５１上に配置された部分には、後述するヒューズＦが前後方向に２つ並んで接続されている。
【００７５】
［ヒューズＦ］
ヒューズＦは、図５、図６、図８および図９に示されるように、分岐回路７０に組み込まれ、所定値以上の電流が流れた場合にその電流を遮断する一般的なヒューズとされている。
【００７６】
複数のヒューズＦは、図９に示されるように、それぞれが円筒状の本体部Ｆ１と、本体部Ｆ１の両端部に設けられた一対の端子部Ｆ２とを有している。本体部Ｆ１内には、図示しない溶断部が設けられている。本体部Ｆ１は、溶断部に過電流が流れた場合、溶断部が溶断することにより、過電流を遮断する。一対の端子部Ｆ２は、本体部Ｆ１から互いに離れる方向に板状に延びている。
【００７７】
ロア台座３４に載置されるヒューズＦは、図５および図６に示されるように、第１中継バスバ３５の右側端部と第１負極分岐バスバ７３とを左右方向に繋ぐように配置されている。ヒューズＦは、それぞれの端子部Ｆ２が第１中継バスバ３５および第１負極分岐バスバ７３と共にロア台座３４にねじ止めされることによって互いに電気的に接続されている。
【００７８】
一方、部材載置部５１に載置されるヒューズＦは、図８、図９、図１１および図１２に示されるように、第２中継バスバ５２と第２負極分岐バスバ７５とを左右方向に繋ぐように配置されている。ヒューズＦは、それぞれの端子部Ｆ２が第２中継バスバ５２および第２負極分岐バスバ７５と共に部材載置部５１にねじ止めされることによって互いに電気的に接続されている。
【００７９】
［ワイヤハーネス９０］
ワイヤハーネス９０は、図１に示されるように、一対の電線９２と、一対の端子９４と、コネクタ９６とを有している。
【００８０】
電線９２は、芯線が絶縁被覆によって覆われて形成された一般的な被覆電線である。一対の電線９２のうちの一方の電線９２は、図５から図７に示されるように、正極側に接続される正極電線９２Ｐとされ、他方の電線９２は、負極側に接続される負極電線９２Ｎとされている。
【００８１】
それぞれの電線９２の前端部には、端子９４が圧着されて電気的に接続されている。
【００８２】
一対の端子９４は、それぞれが導電性を有する金属によって形成されている。正極電線９２Ｐに接続された端子９４は、正極分岐バスバ７２に対してねじ止めされて電気的に接続される。負極電線９２Ｎに接続された端子９４は、第１負極分岐バスバ７３または第２負極分岐バスバ７５のどちらかに対してねじ止めされることによって電気的に接続される。
【００８３】
コネクタ９６は、一対の電線９２の後端部に電気的に接続されている。コネクタ９６は、ロアケース３０およびアッパケース４０のコネクタ取付口３２Ｂ、４２Ｂに止水された状態で固定されている。これにより、ロアケース３０およびアッパケース４０に対して２つずつのワイヤハーネス９０が止水された状態で取り付けられている。
【００８４】
ロアケース３０に取り付けられた２つのワイヤハーネス９０の負極電線９２Ｎにおける端子９４は、図５および図６に示されるように、ロア台座３４における第１中継バスバ３５の右側端部にねじ止めされて接続されている。これにより、ロアケース３０に取り付けられた２つのワイヤハーネス９０は、第１負極分岐バスバ７３とヒューズＦと第１中継バスバ３５とを介して負極バスバ６１Ｎと電気的に接続されている。
【００８５】
一方、アッパケース４０に取り付けられた２つのワイヤハーネス９０における負極電線９２Ｎの端子９４は、図５および図７に示されるように、部材載置部５１の第２中継バスバ５２の下端部にねじ止めされて接続されている。これにより、アッパケース４０に取り付けられた２つのワイヤハーネス９０は、第２負極分岐バスバ７５とヒューズＦと第２中継バスバ５２とを介して負極バスバ６１Ｎと電気的に接続されている。
【００８６】
したがって、ロアケース３０内には、図５および図６に示されるように、ワイヤハーネス９０の負極電線９２Ｎと第１中継バスバ３５とヒューズＦと第１負極分岐バスバ７３とを含むロア側負極回路７０ＬＮと、ワイヤハーネス９０の正極電線９２Ｐと正極分岐バスバ７２とを含むロア側正極回路７０ＬＰとを有するロア側分岐回路７０Ｌが２組収容されている。
【００８７】
また、アッパケース４０内には、図５および図９に示されるように、ワイヤハーネス９０の負極電線９２Ｎと第２中継バスバ５２とヒューズＦと第２負極分岐バスバ７５とを含むアッパ側負極回路７０ＵＮと、ワイヤハーネス９０の正極電線９２Ｐと正極分岐バスバ７２とを含むアッパ側正極回路７０ＵＰとを有するアッパ側分岐回路７０Ｕの大部分が２組収容されている。
【００８８】
つまり、ロアケース３０内に配置されたロア側分岐回路７０Ｌと、アッパケース４０内に配置されたアッパ側分岐回路７０Ｕとは、上下方向に重なるように並んで配置されることによって電源回路６０から分岐された分岐回路７０を構成している。
【００８９】
［ヒューズの交換手順］
本実施形態の電気接続箱１０は、以上のような構成であって、次にアッパ側分岐回路７０ＵにおけるヒューズＦの交換手順の一例を説明し、続けて、ロア側分岐回路７０ＬにおけるヒューズＦの交換手順の一例を説明する。
【００９０】
アッパケース４０内に配置されたアッパ側分岐回路７０ＵにおけるヒューズＦを交換するには、まず、カバー２３に取り付けられた４本のボルトＢＴが取り外される。そして、図１１および図１２に示されるように、カバー２３が天井板４１から取り外されると、第１作業孔４４が露出し、アッパ台座５０の部材載置部５１上に配置されたアッパ側負極回路７０ＵＮのヒューズＦが第１作業孔４４から上方に臨んだ状態となる。これにより、作業者は、第１作業孔４４を通してアッパ側負極回路７０ＵＮのヒューズＦの交換作業を容易に実施できる。
【００９１】
次に、ロアケース３０内に配置されたロア側負極回路７０ＬＮのヒューズＦを交換するには、第１作業孔４４を通してアッパ台座５０における固定部５３の４本のボルトＢＴが取り外される。そして、図１３および図１４に示されるように、アッパ台座５０が第１作業孔４４を通して上方に取り外される。
【００９２】
ここで、アッパ台座５０の部材載置部５１に配置された第２中継バスバ５２には、アッパケース４０に取り付けられたワイヤハーネス９０の負極電線９２Ｎが端子９４を介して接続されているため、ワイヤハーネス９０の負極電線９２Ｎや端子９４に引張り荷重がかからないようにアッパ台座５０が取り外される。
【００９３】
すると、アッパ台座５０において閉口されていた台座受部４５の第２作業孔４９が開放される。これにより、ロア台座３４上に固定されたロア側負極回路７０ＬＮのヒューズＦが第２作業孔４９と第１作業孔４４を通して上方に臨んだ状態となる。これにより、作業者が第２作業孔４９と第１作業孔４４を通してロア側負極回路７０ＬＮのヒューズＦの交換作業を容易に実施できる。
【００９４】
つまり、本実施形態は、アッパケース４０からカバー２３を取り外すことによってアッパ側分岐回路７０ＵのヒューズＦが配置されるアッパ台座５０のみを露出させることができる。また、アッパケース４０におけるアッパ台座５０を取り外すことによってロア側分岐回路７０ＬのヒューズＦが配置されるロア台座３４のみを露出させることができる。
【００９５】
すなわち、本実施形態は、例えば、ロアケースからアッパケースを取り外してアッパ側分岐回路やロア側分岐回路を大きく露出させた状態でヒューズを交換する電気接続箱に比べて、電気接続箱１０の防水性を高めつつ、ヒューズＦの交換作業性を良好にできる。
【００９６】
以上のように、本実施形態は、ケース２０と、電源回路６０と、分岐回路７０と、を備えた電気接続箱１０であって、分岐回路７０は、着脱可能なヒューズ（過電流遮断素子）Ｆを有すると共に電源回路６０から分岐する回路とされており、ケース２０は、ケース本体２１と、ケース本体２１に着脱可能なカバー２３と、カバー用シール部材２４とを有し、ケース本体２１は、第１作業孔４４を有すると共に電源回路６０および分岐回路７０を収容しており、第１作業孔４４は、図８から図１０に示されるように、ヒューズＦを上方（外方）に臨ませる位置においてケース本体２１の天井板４１を貫通した形態で天井板４１の外形寸法よりも小さい外形寸法に形成されており、カバー２３は、第１作業孔４４を水密状態に閉口するようにケース本体２１に装着され、カバー用シール部材２４は、ケース本体２１における第1作業孔４４の周縁部とカバー２３とに密着する。
【００９７】
図１１および図１２に示されるように、カバー２３をケース本体２１から取り外すことによってヒューズＦが第１作業孔４４から上方に臨んだ状態となるから、第１作業孔４４を通してヒューズＦを容易に交換できる。これにより、ヒューズＦの交換作業性を良好にできる。また、第１作業孔４４がケース本体２１の天井板４１の外形寸法よりも小さい外形寸法に形成されており、カバー２３がケース本体２１に装着されると、カバー２３によって第１作業孔４４が液密状態に閉口される。これにより、例えば、ケースが大きく開放される場合に比べて、電気接続箱１０の防水性を高めることができる。
【００９８】
ケース本体２１は、ロアケース３０と、アッパケース４０と、弾性を有するケース用シール部材２５とを有しており、ロアケース３０とアッパケース４０とは、互いに組み付けられるようになっており、ケース用シール部材２５は、ロアケース３０とアッパケース４０とに密着してロアケース３０とアッパケース４０との間を水密状態にシールするようになっており、分岐回路７０は、ロアケース３０内に配置されるロア側分岐回路７０Ｌと、アッパケース４０内に配置されるアッパ側分岐回路７０Ｕとを有しており、ロアケース３０は、ロア側分岐回路７０Ｌに接続された少なくとも１つのコネクタ９６を有しており、アッパケース４０は、アッパ側分岐回路７０Ｕに接続された少なくとも１つのコネクタ９６を有しており、ロア側分岐回路７０Ｌとアッパ側分岐回路７０Ｕとは、図８に示されるように、ロアケース３０とアッパケース４０とが互いに組み付けられる方向に並んで配置されている。
【００９９】
例えば、分岐回路に接続されたコネクタを、ロアケースとアッパケースのそれぞれに設ける場合、分岐回路の大部分をロアケース内に配置し、ロアケース内に配置された分岐回路とアッパケースに設けられたコネクタとを電線によって接続する方法が考えられる。しかしながら、このような方法によると、コネクタを設けるためだけにアッパケースを配置するための領域を確保することになり、アッパケース内にデッドスペースが生じると共に、電気接続箱全体が大型化してしまう。
【０１００】
ところが、本実施形態は、ロアケース３０のコネクタ９６が接続されるロア側分岐回路７０Ｌがロアケース３０内に配置され、アッパケース４０のコネクタ９６が接続されるアッパ側分岐回路７０Ｕがアッパケース４０内に配置されている。つまり、防水されたケース本体２１内を有効に使うことによってケース本体２１の小型化、さらには電気接続箱１０の小型化を図ることができる。
【０１０１】
電源回路６０は、ロアケース３０内に配置されており、アッパ側分岐回路７０Ｕは、図８および図９に示されるように、電源回路６０に接続される第２負極分岐バスバ７５（分岐バスバ７１）を有している。
【０１０２】
例えば、アッパ側分岐回路の電線がロアケースに配置された電源回路に接続される電気接続箱は、ロアケースとアッパケースとを組み付けた時に、電線の余長を収容する余長収容領域をケース内に確保する必要がある。このため、ケースが余長収容領域の分だけ大型化してしまう。
【０１０３】
ところが、本実施形態のアッパ側分岐回路７０Ｕは、電源回路６０に接続される上下方向に延びる第２負極分岐バスバ７５を有しているから、ロアケース３０とアッパケース４０とを組み付けた際に、ケース２０内に余長収容領域を確保する必要がなく、ケース２０を小型化できる。これにより、電気接続箱１０をさらに小型化できる。
【０１０４】
アッパケース４０は、図９に示されるように、アッパ側分岐回路７０ＵのヒューズＦが配置されるアッパ台座５０を有しており、ロアケース３０は、ロア側分岐回路７０ＬのヒューズＦが配置されるロア台座３４を有しており、アッパ台座５０とロア台座３４とは、上下方向（ロアケース３０とアッパケース４０とが互いに組み付けられる方向）に並んで配置されている。
【０１０５】
アッパ台座５０とロア台座３４とが上下方向に並んで配置されているから、例えば、アッパ台座とロア台座とが上下方向と交差する前後左右方向にずれて配置される場合に比べて、ケース本体２１、つまりは、電気接続箱１０が前後左右方向に大型化することを防ぐことができる。
【０１０６】
また、アッパケース４０は、アッパ台座５０が着脱可能な台座受部４５を有しており、台座受部４５は、図１３および図１４に示されるように、アッパ台座５０によって閉口される第２作業孔４９を有している。
【０１０７】
アッパ台座５０を台座受部４５から取り外すことによって第１作業孔４４および第２作業孔４９を通してロア台座３４を上方に臨ませることができる。したがって、第１作業孔４４および第２作業孔４９を通してロア台座３４に配置されたヒューズＦを交換できる。これにより、例えば、電源回路を含む回路全体を露出させてヒューズの交換を実施するものに比べて、防水性を高めつつ、ヒューズＦの交換作業を良好に実施できる。
【０１０８】
例えば、ロアケースとアッパケースとを組み付ける際に、アッパ側分岐回路のバスバを電源回路に接続する場合には、バスバと電源回路との接続確認がケースによって視認できなくなるなど、アッパ側分岐回路と電源回路との接続作業性が低下してしまう。
【０１０９】
ところが、本実施形態は、第２負極分岐バスバ７５が、第１作業孔４４を通して電源回路６０に着脱可能とされているから、例えば、ロアケースとアッパケースとを組み付ける際に、アッパ側分岐回路のバスバを電源回路に接続する場合に比べて、電源回路６０とアッパ側分岐回路７０Ｕとの接続作業性に優れる。
【０１１０】
＜他の実施形態＞
本明細書で開示される技術は上記記述及び図面によって説明した実施形態に限定されるものではなく、例えば次のような種々の態様も含まれる。
【０１１１】
（１）上記実施形態では、過電流遮断素子として円筒状の本体部Ｆ１を有するヒューズＦを用いる構成にした。しかしながら、これに限らず、過電流遮断素子として角形の本体部を有するヒューズを用いてもよい。
【０１１２】
（２）上記実施形態では、ロアケース３０およびアッパケース４０にワイヤハーネス９０が２つずつ取り付けられた構成にした。しかしながら、これに限らず、それぞれのケースに取り付けられるワイヤハーネスは、１つであっても良く、３つ以上であってもよい。
【０１１３】
（３）上記実施形態では、第１作業孔４４およびカバー２３と、第２作業孔４９およびアッパ台座５０とを矩形状に構成した。しかしながら、これに限らず、作業孔およびカバーと、第２作業孔およびアッパ台座とを円形状や長円形状などに構成してもよい。
【符号の説明】
【０１１４】
１０：  電気接続箱
２０：  ケース
２１：  ケース本体
２３：  カバー
２３Ａ：  カバー側シール面
２４：  カバー用シール部材
２５：  ケース用シール部材
３０：  ロアケース
３１：  底板
３２：  ロア側板
３２Ａ：  前側ケーブル導入口
３２Ｂ：  コネクタ取付口
３３：  ロア側フランジ部
３４：  ロア台座
３５：  第１中継バスバ
３６：  シール溝
３７：  ボルト固定部
４０：  アッパケース
４１：  天井板
４２：  アッパ側板
４２Ａ：  後側ケーブル導入口
４２Ｂ：  コネクタ取付口
４３：  アッパ側フランジ部
４３Ａ：  シール面
４４：  第１作業孔
４４Ａ：  シール装着リブ
４５：  台座受部
４７：  取付フランジ
４８：  底部
４９：  第２作業孔
５０：  アッパ台座
５１：  部材載置部
５２：  第２中継バスバ
５３：  固定部
６０：  電源回路
６１：  電源バスバ
６１Ｎ：  負極バスバ
６１Ｐ：  正極バスバ
６２：  第１正極部
６３：  第２正極部
６４：  第３正極部
６５：  第１負極部
６６：  第２負極部
６７：  第３負極部
７０：  分岐回路
７０Ｌ：  ロア側分岐回路
７０ＬＮ：  ロア側負極回路
７０ＬＰ：  ロア側正極回路
７０Ｕ：  アッパ側分岐回路
７０ＵＮ：  アッパ側負極回路
７０ＵＰ：  アッパ側正極回路
７１：  分岐バスバ
７２：  正極分岐バスバ
７３：  第１負極分岐バスバ
７５：  第２負極分岐バスバ
９０：  ワイヤハーネス
９２：  電線
９２Ｎ：  負極電線
９２Ｐ：  正極電線
９４：  端子
９６：  コネクタ
ＢＴ：  ボルト
Ｆ１：  本体部
Ｆ２：  端子部
Ｆ：  ヒューズ
【図１】
2020188596.tif 000003
【図２】
2020188596.tif 000004
【図３】
2020188596.tif 000005
【図４】
2020188596.tif 000006
【図５】
2020188596.tif 000007
【図６】
2020188596.tif 000008
【図７】
2020188596.tif 000009
【図８】
2020188596.tif 000010
【図９】
2020188596.tif 000011
【図１０】
2020188596.tif 000012
【図１１】
2020188596.tif 000013
【図１２】
2020188596.tif 000014
【図１３】
2020188596.tif 000015
【図１４】
2020188596.tif 000016